(57)【特許請求の範囲】
【請求項１】
フラットハーネスを長手方向に対して交差する折返線を境界として折り返した状態に保持するためのフラットハーネス保持具であって、
前記フラットハーネスを横断可能な凸状円弧面を備えた棒状の第１部材と、前記フラットハーネスを横断可能な凹状円弧面を備えた棒状の第２部材とを有し、前記フラットハーネスを介して前記凸状円弧面と前記凹状円弧面とが対面するように、前記第２部材が前記第１部材に対して握着可能であることを特徴とするフラットハーネス保持具。
【請求項２】
前記第１部材および第２部材が長手方向に沿って相対移動しないように、前記第１部材の両端部および前記第２部材の両端部のうちの一方が他方に対して係合可能な係合部を有していることを特徴とする請求項１に記載したフラットハーネス保持具。
【発明の詳細な説明】
【０００１】
【発明の属する技術分野】
本発明はフラットハーネス保持具に係り、例えば自動車の内部においてフラットハーネスの配策に用いられるフラットハーネス保持具に関する。
【０００２】
【従来の技術】
例えば、自動車の内部において配策されるフラットハーネスは、車体の形状等に応じて曲げられたり、あるいは折り返されることが多い。
図３（Ａ）ないし図３（Ｃ）には、フラットハーネス40を任意方向に向けて折り返した状態に保持するためのフラットハーネス保治具30が示されている（特開平4-209417号公報参照：従来例）。
【０００３】
フラットハーネス保治具30は、一対の係合孔31，31を有する板状片32と、一対のクリップ33，33を有する板状片34とを備え、各係合孔31，31に対して各クリップ33，33が挿入係合可能とされている。
このフラットハーネス保治具30は、あらかじめフラットハーネス40の長手方向に対して交差する折返線41を境界線とする対称位置に複数の係合孔43を穿設しておき、折返線41に沿ってフラットハーネス40を折り返すことにより各係合孔43を同一軸線上に配置し、次いで板状片34のクリップ33，33を各係合孔43，43に挿通させてから板状片32の係合孔31に係合させることにより、フラットハーネス40を任意方向に向けて折り返した状態に保持する。
【０００４】
【発明が解決しようとする課題】
しかしながら、前述した従来例は、フラットハーネス40における折返線41に沿った折曲部42の丸みを積極的に維持する構造ではないため、フラットハーネス40に衝撃が加わった場合、折曲部42が潰れ、当該部分に断線が生ずる虞れがある。また、前述した従来例は、その構造上、フラットハーネス40の折り返し角度が変更不可能であり、汎用性が低いという問題もある。
【０００５】
本発明は、前述した問題点に鑑みてなされたものであり、その目的はフラットハーネスの折曲部に衝撃が加わっても断線する虞れがないとともに、任意の角度に折り返し可能なフラットハーネス保持具を提供することにある。
【０００６】
【課題を解決するための手段】
前述した目的を達成するために、本発明は、請求項１に記載したように、フラットハーネスを長手方向に対して交差する折返線を境界として折り返した状態に保持するためのフラットハーネス保持具であって、前記フラットハーネスを横断可能な凸状円弧面を備えた棒状の第１部材と、前記フラットハーネスを横断可能な凹状円弧面を備えた棒状の第２部材とを有し、前記フラットハーネスを介して前記凸状円弧面と前記凹状円弧面とが対面するように、前記第２部材が前記第１部材に対して握着可能であることを特徴としている。
【０００７】
ここで、フラットハーネスとしては、ＦＰＣ，ＦＦＣ，リボン電線等を例示でき、同一面に沿って通電可能な導体や回路等が形成されているとともに柔軟性を有するフラット回路体全般が含まれる。
また、第１部材としては、長手方向に沿って凸状円弧面が連続する棒状であればよく、断面真円形状，断面半円形状等に形成しておけばよい。そして、凸状円弧面としては、円弧曲率が一定である必要はなく、例えば複数の円弧曲率を組み合わせた楕円弧でもよい。
【０００８】
一方、第２部材としては、第１部材を握着可能な断面略Ｃ字状，断面略Ｕ字状の溝が長手方向に沿って連続すていればよく、断面外形状は任意である。そして、凹状円弧面としては、凸状円弧面との間にフラットハーネスを介装することを考慮して、凸状円弧面の断面形状に対応する断面形状および曲率半径を適宜選択しておけばよい。
これらの第１部材および第２部材は、互いに同一長さを有していることが好ましいが、互いに異なる長さを有していてもよい。
【０００９】
このように構成されたフラットハーネス保持具においては、フラットハーネスを介して凸状円弧面および凹状円弧面が対面するように、第２部材が第１部材を握着するため、フラットハーネスの折曲部が凸状円弧面および凹状円弧面の曲率半径に対応した丸みを維持され、衝撃が加わっても折曲部が潰れる虞れがなく、断線を防止できることになる。
また、このフラットハーネス保持具においては、フラットハーネスの長手方向に対する第１部材および第２部材の交差角度を適宜選択することにより、フラットハーネスの折り返し角度を変更でき、従来に比較して高い汎用性が得られることになる。
【００１０】
また、本発明においては、請求項２に記載したように、前記第１部材および第２部材が長手方向に沿って相対移動しないように、前記第１部材の両端部および前記第２部材の両端部のうちの一方が他方に対して係合可能な係合部を有していることを特徴としている。
【００１１】
ここで、係合部としては、第１部材の両端部に鍔部を設けておく構造や、あるいは第２部材における溝部の両端部に壁部を設けておく構造等を採用できる。
このように構成されたフラットハーネス保持具においては、係合部により第１部材および第２部材が長手方向に沿って相対移動しないため、フラットハーネスを所望の方向に折り曲げた状態が確実に保持されることになる。
【００１２】
【発明の実施の形態】
以下、本発明に係る実施形態を図面に基づいて詳細に説明する。
図１に示すように、本発明に係る実施形態のフラットハーネス保持具10は、フラットハーネス20を横断可能な第１部材11および第２部材12を有している。
【００１３】
図２にも示すように、第１部材11は断面略長方形の棒状とされ、短辺側面が凸状円弧面11Ａとされているとともに、両端部にそれぞれ鍔部13，13が設けられている。凸状円弧面11Ａは、一定の曲率半径を有する略半円弧面とされている。
この第１部材11は、フラットハーネス20の長手方向に対して所定の角度で交差するように配置されても、両端部がフラットハーネス20の両辺縁から突出する長手寸法を有している。
【００１４】
一方、第２部材12は、長手方向に沿って溝12Ｂが形成された断面略Ｃ字状の棒状とされている。溝12Ｂは、断面略Ｕ字状とされ、底部の凹状円弧面12Ａが第１部材11の凸状円弧面11Ａに対応して、一定の曲率半径を有する略半円弧面とされている。
この第２部材12は、第１部材11に対応した長手寸法を有している。
【００１５】
このようなフラットハーネス保持具10は、フラットハーネス20の長手方向に対して所定の角度で交差する折り返し線21に沿って第１部材11を配置した後、フラットハーネス20を介して凸状円弧面11Ａおよび凹状円弧面12Ａが対面するように、第２部材12に第１部材11を握着させる。
この際、第２部材12の両端面に対して鍔部13，13が係合するため、第１部材11および第２部材12が互いに長手方向に沿って相対移動することはない。
【００１６】
以上のようなフラットハーネス保治具10によれば、フラットハーネス20を介して第２部材12が第１部材11を握着するため、フラットハーネス20の折曲部22が凸状円弧面11Ａおよび凹状円弧面12Ｂの曲率半径に対応した丸みを維持し、当該個所に衝撃が加わっても折曲部22が潰れる虞れがなく、断線を防止できる。
特に、このフラットハーネス保持具10によれば、各鍔部13により第１部材11および第２部材12が互いに長手方向に沿って相対移動しないため、フラットハーネス20を所望の方向に折り曲げた状態を確実に保持できる。
また、このフラットハーネス保持具10によれば、フラットハーネス20の長手方向に対する第１部材11および第２部材12の交差角度を適宜選択することにより、フラットハーネス20の折り返し角度を変更でき、従来に比較して高い汎用性が得られる。
【００１７】
なお、本発明のフラットハーネス保持具は、前述した実施形態に限定されるものではなく、例えば実施形態において例示したフラットハーネス，第１部材，第２部材，凸状円弧面，凹状円弧面等の材質，形状，寸法，形態，配置等は、本発明を達成できるものであれば、任意であり、限定されない。
また、本発明のフラットハーネス保持具は、自動車用に限定されず、例えば鉄道，船舶，航空機，建築構造物あるいは各種工作機械等にも適用可能である。
【００１８】
【発明の効果】
以上、説明したように、本発明によれば、請求項１に記載したように、フラットハーネスを介して凸状円弧面と凹状円弧面とが対面するように、第２部材が第１部材に対して握着可能であるため、衝撃が加わっても折曲部が潰れる虞れがないとともに、フラットハーネスの長手方向に対する第１部材および第２部材の交差角度を適宜選択することにより、従来に比較して高い汎用性が得られる。
また、本発明によれば、請求項２に記載したように、第１部材の両端部および第２部材の両端部のうちの一方が他方に対して係合可能な係合部を有しているため、フラットハーネスを所望の方向に折り曲げた状態を確実に保持できる。
【図面の簡単な説明】
【図１】本発明に係る実施形態を示す全体斜視図である。
【図２】図１の要部断面図である。
【図３】従来のフラットハーネス保持具示す斜視図，平面図および分解斜視図である。
【符号の説明】
10  フラットハーネス保持具
11  第１部材
12  第２部材
11Ａ  凸状円弧面
12Ａ  凹状円弧面
13  係合部
20  フラットハーネス
21  折返線
【図１】
0003710036.tif 000002
【図２】
0003710036.tif 000003
【図３】
0003710036.tif 000004